(57)【要約】【課題】サービスを提供する店舗の負担を増大させることなく、第１ユーザの目的を逸脱することなく第２ユーザにサービスを提供することが可能となり、第１ユーザが第２ユーザを確実に援助することが可能となるサービス提供プログラムを提供する。【解決手段】店舗情報、利用期間、及び第１ユーザが指定した指定金額が含まれる利用情報を入力する入力ステップＳ１１と、利用情報を第２ユーザに通知する通知ステップＳ１２と、利用情報に基づいて、サービスが店舗から第２ユーザに提供される時間が利用期間内であるか否か、及び、サービスに対する対価が指定金額以下であるか否か、を判別する判別ステップＳ１３と、サービスが提供される時間が利用期間内であり、かつ、サービスに対する対価が指定金額以下であると判別した際に、サービスに対する対価を第１ユーザに決済させる決済ステップＳ１４とをコンピュータに実行させる。【選択図】図３
2019079329.tif 000002
【特許請求の範囲】
【請求項１】
サービスを提供する店舗に関する店舗情報、利用期間、及び第１ユーザが指定した指定金額が含まれる利用情報を入力する入力手段と、
上記入力手段により入力した上記利用情報を第２ユーザに通知する通知手段と、
上記通知手段により通知した上記利用情報に基づいて、上記サービスが上記店舗から上記第２ユーザに提供される時間が上記利用期間内であるか否か、及び、上記サービスに対する対価が上記指定金額以下であるか否か、を判別する判別手段と、
上記判別手段により上記サービスが提供される時間が上記利用期間内であり、かつ、上記サービスに対する対価が上記指定金額以下であると判別した際に、上記サービスに対する対価を上記第１ユーザに決済させる決済手段とを備えること
を特徴とするサービス提供システム。
【請求項２】
前記判別手段は、新たなサービスが上記店舗から上記第２ユーザに提供される時間が上記利用期間内であるか否か、及び、上記新たなサービスに対する対価が上記指定金額から前記決済手段により決済した上記サービスに対する対価を減算した指定金額残高以下であるか否か、を判別し、
前記決済手段は、上記判別手段により上記新たなサービスが提供される時間が上記利用期間内であり、かつ、上記新たなサービスに対する対価が上記指定金額残高以下であると判別した際に、上記新たなサービスに対する対価を上記第１ユーザに決済させること
を特徴とする請求項１記載のサービス提供システム。
【請求項３】
前記入力手段は、さらに利用頻度を入力し、
前記判別手段は、上記サービスが上記店舗から上記第２ユーザに提供される頻度が上記利用頻度以下であるか否か、を判別し、
前記決済手段は、上記判別手段により上記サービスが上記店舗から上記第２ユーザに提供される頻度が上記利用頻度以下であると判別した際に、上記サービスに対する対価を上記第１ユーザに決済させること
を特徴とする請求項１又は２記載のサービス提供システム。
【請求項４】
上記判別手段は、上記サービスが提供される時間が上記利用期間内であり、かつ、上記サービスに対する対価が上記指定金額以上であると判別した際に、上記店舗から上記第２ユーザに提供される上記サービスが上記店舗のサービスリストに含まれるものであるか否か、を更に判別し、
上記決済手段は、上記判別手段により上記店舗から上記第２ユーザに提供されるサービスが上記サービスリストに含まれるものであると判別した際に、上記店舗から提供される上記サービスの対価のうち上記指定金額までを上記第１ユーザに決済させるとともに、上記店舗から提供される上記サービスの対価のうち上記指定金額を超えた分については、上記第２ユーザに決済させること
を特徴とする請求項１記載のサービス提供システム。
【請求項５】
サービスを提供する店舗に関する店舗情報、利用期間、及び第１ユーザが指定した指定サービスに関するサービス情報が含まれる利用情報を入力する入力手段と、
上記入力手段により入力した上記利用情報を第２ユーザに通知する通知手段と、
上記通知手段により通知した前記利用情報に基づいて、上記サービスが上記店舗から上記第２ユーザに提供される時間が上記利用期間内であるか否か、及び、上記サービスが上記指定サービスであるか否か、を判別する判別手段と、
上記判別手段により上記サービスが提供される時間が上記利用期間内であり、かつ、上記サービスが上記指定サービスであると判別した際に、上記サービスに対する対価を第１ユーザに決済させる決済手段とを備えること
を特徴とするサービス提供システム。
【請求項６】
サービスを提供する店舗に関する店舗情報、利用期間、並びに第１ユーザが予め決済した利用金額及び上記利用金額に代替させた利用ポイントの何れか一方又は両方が含まれる利用情報を入力する入力手段と、
上記入力手段により入力した上記利用情報を第２ユーザに通知する通知手段と、
上記通知手段により通知した前記利用情報に基づいて、上記サービスが上記店舗から上記第２ユーザに提供される時間が上記利用期間内であるか否か、及び、上記サービスに対する対価が上記利用金額又は上記利用ポイント以下であるか否か、を判別する判別手段と、
上記判別手段により上記サービスが提供される時間が上記利用期間内であり、かつ、上記サービスに対する対価が上記利用金額又は上記利用ポイント以下であると判別した際に、上記サービスに対する対価を上記利用金額又は上記利用ポイントで決済する決済手段とを備えること
を特徴とするサービス提供システム。
【請求項７】
サービスを提供する店舗に関する店舗情報、利用期間、及び第１ユーザが予め決済した上記サービスに関するサービス情報が含まれる利用情報を入力する入力手段と、
上記入力手段により入力した上記利用情報を第２ユーザに通知する通知手段と、
上記通知手段により通知した前記利用情報に基づいて、上記サービスが上記店舗から上記第２ユーザに提供される時間が上記利用期間内であるか否か判別する判別手段と、
上記判別手段により上記サービスが提供される時間が上記利用期間内であると判別した際に、上記サービスを上記第２ユーザに提供されたことを上記第１ユーザに通知する確認手段とを備えること
を特徴とするサービス提供システム。
【請求項８】
サービスを提供する店舗に関する店舗情報、利用期間、及び第１ユーザが指定した指定金額が含まれる利用情報を入力する入力ステップと、
上記入力ステップにより入力した上記利用情報を第２ユーザに通知する通知ステップと、
上記通知ステップにより通知した上記利用情報に基づいて、上記サービスが上記店舗から上記第２ユーザに提供される時間が上記利用期間内であるか否か、及び、上記サービスに対する対価が上記指定金額以下であるか否か、を判別する判別ステップと、
上記判別ステップにより上記サービスが提供される時間が上記利用期間内であり、かつ、上記サービスに対する対価が上記指定金額以下であると判別した際に、上記サービスに対する対価を上記第１ユーザに決済させる決済ステップとを備えること
を特徴とするサービス提供方法。
【請求項９】
サービスを提供する店舗に関する店舗情報、利用期間、及び第１ユーザが指定した指定サービスに関するサービス情報が含まれる利用情報を入力する入力ステップと、
上記入力ステップにより入力した上記利用情報を第２ユーザに通知する通知ステップと、
上記通知ステップにより通知した前記利用情報に基づいて、上記サービスが上記店舗から上記第２ユーザに提供される時間が上記利用期間内であるか否か、及び、上記サービスが上記指定サービスであるか否か、を判別する判別ステップと、
上記判別ステップにより上記サービスが提供される時間が上記利用期間内であり、かつ、上記サービスが上記指定サービスであると判別した際に、上記サービスに対する対価を第１ユーザに決済させる決済ステップとを備えること
を特徴とするサービス提供方法。
【請求項１０】
サービスを提供する店舗に関する店舗情報、利用期間、並びに第１ユーザが予め決済した利用金額及び上記利用金額に代替させた利用ポイントの何れか一方又は両方が含まれる利用情報を入力する入力ステップと、
上記入力ステップにより入力した上記利用情報を第２ユーザに通知する通知ステップと、
上記通知ステップにより通知した前記利用情報に基づいて、上記サービスが上記店舗から上記第２ユーザに提供される時間が上記利用期間内であるか否か、及び、上記サービスに対する対価が上記利用金額又は上記利用ポイント以下であるか否か、を判別する判別ステップと、
上記判別ステップにより上記サービスが提供される時間が上記利用期間内であり、かつ、上記サービスに対する対価が上記利用金額又は上記利用ポイント以下であると判別した際に、上記サービスに対する対価を上記利用金額又は上記利用ポイントで決済する決済ステップとを備えること
を特徴とするサービス提供方法。
【請求項１１】
サービスを提供する店舗に関する店舗情報、利用期間、及び第１ユーザが予め決済した上記サービスに関するサービス情報が含まれる利用情報を入力する入力ステップと、
上記入力ステップにより入力した上記利用情報を第２ユーザに通知する通知ステップと、
上記通知ステップにより通知した前記利用情報に基づいて、上記サービスが上記店舗から上記第２ユーザに提供される時間が上記利用期間内であるか否か判別する判別ステップと、
上記判別ステップにより上記サービスが提供される時間が上記利用期間内であると判別した際に、上記サービスを上記第２ユーザに提供されたことを上記第１ユーザに通知する確認ステップとを備えること
を特徴とするサービス提供方法。
【請求項１２】
サービスを提供する店舗に関する店舗情報、利用期間、及び第１ユーザが指定した指定金額が含まれる利用情報を入力する入力ステップと、
上記入力ステップにより入力した上記利用情報を第２ユーザに通知する通知ステップと、
上記通知ステップにより通知した上記利用情報に基づいて、上記サービスが上記店舗から上記第２ユーザに提供される時間が上記利用期間内であるか否か、及び、上記サービスに対する対価が上記指定金額以下であるか否か、を判別する判別ステップと、
上記判別ステップにより上記サービスが提供される時間が上記利用期間内であり、かつ、上記サービスに対する対価が上記指定金額以下であると判別した際に、上記サービスに対する対価を上記第１ユーザに決済させる決済ステップとをコンピューターに実行させること
を特徴とするサービス提供プログラム。
【請求項１３】
サービスを提供する店舗に関する店舗情報、利用期間、及び第１ユーザが指定した指定サービスに関するサービス情報が含まれる利用情報を入力する入力ステップと、
上記入力ステップにより入力した上記利用情報を第２ユーザに通知する通知ステップと、
上記通知ステップにより通知した前記利用情報に基づいて、上記サービスが上記店舗から上記第２ユーザに提供される時間が上記利用期間内であるか否か、及び、上記サービスが上記指定サービスであるか否か、を判別する判別ステップと、
上記判別ステップにより上記サービスが提供される時間が上記利用期間内であり、かつ、上記サービスが上記指定サービスであると判別した際に、上記サービスに対する対価を第１ユーザに決済させる決済ステップとをコンピューターに実行させること
を特徴とするサービス提供プログラム。
【請求項１４】
サービスを提供する店舗に関する店舗情報、利用期間、並びに第１ユーザが予め決済した利用金額及び上記利用金額に代替させた利用ポイントの何れか一方又は両方が含まれる利用情報を入力する入力ステップと、
上記入力ステップにより入力した上記利用情報を第２ユーザに通知する通知ステップと、
上記通知ステップにより通知した前記利用情報に基づいて、上記サービスが上記店舗から上記第２ユーザに提供される時間が上記利用期間内であるか否か、及び、上記サービスに対する対価が上記利用金額又は上記利用ポイント以下であるか否か、を判別する判別ステップと、
上記判別ステップにより上記サービスが提供される時間が上記利用期間内であり、かつ、上記サービスに対する対価が上記利用金額又は上記利用ポイント以下であると判別した際に、上記サービスに対する対価を上記利用金額又は上記利用ポイントで決済する決済ステップとをコンピューターに実行させること
を特徴とするサービス提供プログラム。
【請求項１５】
サービスを提供する店舗に関する店舗情報、利用期間、及び第１ユーザが予め決済した上記サービスに関するサービス情報が含まれる利用情報を入力する入力ステップと、
上記入力ステップにより入力した上記利用情報を第２ユーザに通知する通知ステップと、
上記通知ステップにより通知した前記利用情報に基づいて、上記サービスが上記店舗から上記第２ユーザに提供される時間が上記利用期間内であるか否か判別する判別ステップと、
上記判別ステップにより上記サービスが提供される時間が上記利用期間内であると判別した際に、上記サービスを上記第２ユーザに提供されたことを上記第１ユーザに通知する確認ステップとをコンピューターに実行させること
を特徴とするサービス提供プログラム。
【発明の詳細な説明】
【技術分野】
【０００１】
本発明は、公衆通信網を介して人に任意のサービスを提供するサービス提供システム、サービス提供方法及びサービス提供プログラムに関する。
【背景技術】
【０００２】
自らが他人を経済的に援助する行為として、仕送り、奢り、寄付等がしばしば行われる。
【０００３】
しかしながら、例えば、親元から離れて生活する学生に親が食費のための仕送りとして金銭を提供した場合、この金銭が実際に食費として利用されているかという不安感が拭いきれず、金銭を提供した親の目的を逸脱して利用される虞があり、親が学生を確実に援助することができない虞があった。また、例えば、児童施設等に寄付者が文房具代として金銭を寄付した場合、この金銭が実際に文房具代として利用されているかという不安感が拭いきれず、金銭を提供した寄付者の目的を逸脱して利用される虞があり、寄付者が児童施設を確実に援助することができない虞があった。このように、享受者に金銭を直接提供した場合には、実際に金銭を提供する提供者の目的に応じて利用されているかという不安感が拭いきれず、目的を逸脱して利用される虞があり、提供者が享受者を確実に援助することができない虞があった。
【０００４】
従来、インターネットを活用して特定の人物にドリンクやフード等、任意の商品を奢ることを目的として、例えば特許文献１に開示される商品提供システムが開示されている。
【０００５】
特許文献１に開示される商品提供システムは、注文者がイベントの参加者に奢る商品を注文する注文画面を注文者のＰＣ等に提供し、注文画面を介した注文を受け取ると、注文をキッチンクライアント（端末ＰＣ）に送信するサーバ装置を備える。キッチンクライアント（端末ＰＣ）は、サーバ装置を介して注文を受け取ると、注文の内容と商品を奢られる参加者を識別する識別情報と商品の受領確認のためのコードとを含むレシートの出力をレシートプリンタに要求する。レシートプリンタは、要求を受け取ると、レシートを出力する。レシートと共に商品を受け取った受取人であるイベントの参加者は、コードが記載されたレシートを携帯電話等で読み取り、サーバ装置の所定のＵＲＬ等にアクセスする。サーバ装置は、商品を奢られた参加者の携帯電話よりレシートのコードを読み取ることによってアクセスがあった場合、商品の受領を確認し、注文者のＰＣ等に通知メールを送信する。
【０００６】
これにより、特許文献１に開示された商品提供システムは、インターネット越しに特定の人物にドリンクやフード等、任意の商品を奢ったり寄付したりすることが可能となる。
【０００７】
しかしながら、特許文献１に開示される商品提供システムは、実際に商品を提供する店側に注文を行うことになり、店側の負担が増大するばかりか、商品が提供される享受者に店員から商品が届けられるため、店員が会場内で享受者を探す必要があり、仮に探し出せない場合には、商品が享受者に提供されない虞があった。
【先行技術文献】
【特許文献】
【０００８】
【特許文献１】国際公開ＷＯ２０１３／００８８４９号公報
【発明の概要】
【発明が解決しようとする課題】
【０００９】
そこで本発明は、上述した問題点に鑑みて案出されたものであり、その目的とするところは、サービスを提供する店舗の負担を増大させることなく、第１ユーザの目的を逸脱することなく第２ユーザにサービスを提供することが可能となり、第１ユーザが第２ユーザを確実に援助することが可能となるサービス提供システム、サービス提供方法及びサービス提供プログラムを提供することにある。
【課題を解決するための手段】
【００１０】
請求項１記載のサービス提供システムは、サービスを提供する店舗に関する店舗情報、利用期間、及び第１ユーザが指定した指定金額が含まれる利用情報を入力する入力手段と、  上記入力手段により入力した上記利用情報を第２ユーザに通知する通知手段と、上記通知手段により通知した上記利用情報に基づいて、上記サービスが上記店舗から上記第２ユーザに提供される時間が上記利用期間内であるか否か、及び、上記サービスに対する対価が上記指定金額以下であるか否か、を判別する判別手段と、上記判別手段により上記サービスが提供される時間が上記利用期間内であり、かつ、上記サービスに対する対価が上記指定金額以下であると判別した際に、上記サービスに対する対価を上記第１ユーザに決済させる決済手段とを備えることを特徴とする。
【００１１】
請求項２記載のサービス提供システムは、請求項１記載の発明において、前記判別手段は、新たなサービスが上記店舗から上記第２ユーザに提供される時間が上記利用期間内であるか否か、及び、上記新たなサービスに対する対価が上記指定金額から前記決済手段により決済した上記サービスに対する対価を減算した指定金額残高以下であるか否か、を判別し、前記決済手段は、上記判別手段により上記新たなサービスが提供される時間が上記利用期間内であり、かつ、上記新たなサービスに対する対価が上記指定金額残高以下であると判別した際に、上記新たなサービスに対する対価を上記第１ユーザに決済させることを特徴とする。
【００１２】
請求項３記載のサービス提供システムは、請求項１又は２記載の発明において、前記入力手段は、さらに利用頻度を入力し、前記判別手段は、上記サービスが上記店舗から上記第２ユーザに提供される頻度が上記利用頻度以下であるか否か、を更に判別し、前記決済手段は、上記判別手段により上記サービスが上記店舗から上記第２ユーザに提供される頻度が上記利用頻度以下であると判別した際に、上記サービスに対する対価を上記第１ユーザに決済させることを特徴とする。
【００１３】
請求項４記載のサービス提供システムは、請求項１記載の発明において、上記判別手段は、上記サービスが提供される時間が上記利用期間内であり、かつ、上記サービスに対する対価が上記指定金額以上であると判別した際に、上記店舗から上記第２ユーザに提供される上記サービスが上記店舗のサービスリストに含まれるものであるか否か、を更に判別し、上記決済手段は、上記判別手段により上記店舗から上記第２ユーザに提供されるサービスが上記サービスリストに含まれるものであると判別した際に、上記店舗から提供される上記サービスの対価のうち上記指定金額までを上記第１ユーザに決済させるとともに、上記店舗から提供される上記サービスの対価のうち上記指定金額を超えた分については、上記第２ユーザに決済させることを特徴とする。
【００１４】
請求項５記載のサービス提供システムは、サービスを提供する店舗に関する店舗情報、利用期間、及び第１ユーザが指定した指定サービスに関するサービス情報が含まれる利用情報を入力する入力手段と、上記入力手段により入力した上記利用情報を第２ユーザに通知する通知手段と、上記通知手段により通知した前記利用情報に基づいて、上記サービスが上記店舗から上記第２ユーザに提供される時間が上記利用期間内であるか否か、及び、上記サービスが上記指定サービスであるか否か、を判別する判別手段と、上記判別手段により上記サービスが提供される時間が上記利用期間内であり、かつ、上記サービスが上記指定サービスであると判別した際に、上記サービスに対する対価を第１ユーザに決済させる決済手段とを備えることを特徴とする。
【００１５】
請求項６記載のサービス提供システムは、サービスを提供する店舗に関する店舗情報、利用期間、並びに第１ユーザが予め決済した利用金額及び上記利用金額に代替させた利用ポイントの何れか一方又は両方が含まれる利用情報を入力する入力手段と、上記入力手段により入力した上記利用情報を第２ユーザに通知する通知手段と、上記通知手段により通知した前記利用情報に基づいて、上記サービスが上記店舗から上記第２ユーザに提供される時間が上記利用期間内であるか否か、及び、上記サービスに対する対価が上記利用金額又は上記利用ポイント以下であるか否か、を判別する判別手段と、上記判別手段により上記サービスが提供される時間が上記利用期間内であり、かつ、上記サービスに対する対価が上記利用金額又は上記利用ポイント以下であると判別した際に、上記サービスに対する対価を上記利用金額又は上記利用ポイントで決済する決済手段とを備えることを特徴とする。
【００１６】
請求項７記載のサービス提供システムは、サービスを提供する店舗に関する店舗情報、利用期間、及び第１ユーザが予め決済した上記サービスに関するサービス情報が含まれる利用情報を入力する入力手段と、上記入力手段により入力した上記利用情報を第２ユーザに通知する通知手段と、上記通知手段により通知した前記利用情報に基づいて、上記サービスが上記店舗から上記第２ユーザに提供される時間が上記利用期間内であるか否か判別する判別手段と、上記判別手段により上記サービスが提供される時間が上記利用期間内であると判別した際に、上記サービスを上記第２ユーザに提供されたことを上記第１ユーザに通知する確認手段とを備えることを特徴とする。
【００１７】
請求項８記載のサービス提供方法は、サービスを提供する店舗に関する店舗情報、利用期間、及び第１ユーザが指定した指定金額が含まれる利用情報を入力する入力ステップと、上記入力ステップにより入力した上記利用情報を第２ユーザに通知する通知ステップと、上記通知ステップにより通知した上記利用情報に基づいて、上記サービスが上記店舗から上記第２ユーザに提供される時間が上記利用期間内であるか否か、及び、上記サービスに対する対価が上記指定金額以下であるか否か、を判別する判別ステップと、上記判別ステップにより上記サービスが提供される時間が上記利用期間内であり、かつ、上記サービスに対する対価が上記指定金額以下であると判別した際に、上記サービスに対する対価を上記第１ユーザに決済させる決済ステップとを備えることを特徴とする。
【００１８】
請求項９記載のサービス提供方法は、サービスを提供する店舗に関する店舗情報、利用期間、及び第１ユーザが指定した指定サービスに関するサービス情報が含まれる利用情報を入力する入力ステップと、上記入力ステップにより入力した上記利用情報を第２ユーザに通知する通知ステップと、上記通知ステップにより通知した前記利用情報に基づいて、上記サービスが上記店舗から上記第２ユーザに提供される時間が上記利用期間内であるか否か、及び、上記サービスが上記指定サービスであるか否か、を判別する判別ステップと、上記判別ステップにより上記サービスが提供される時間が上記利用期間内であり、かつ、上記サービスが上記指定サービスであると判別した際に、上記サービスに対する対価を第１ユーザに決済させる決済ステップとを備えることを特徴とする。
【００１９】
請求項１０記載のサービス提供方法は、サービスを提供する店舗に関する店舗情報、利用期間、並びに第１ユーザが予め決済した利用金額及び上記利用金額に代替させた利用ポイントの何れか一方又は両方が含まれる利用情報を入力する入力ステップと、上記入力ステップにより入力した上記利用情報を第２ユーザに通知する通知ステップと、上記通知ステップにより通知した前記利用情報に基づいて、上記サービスが上記店舗から上記第２ユーザに提供される時間が上記利用期間内であるか否か、及び、上記サービスに対する対価が上記利用金額又は上記利用ポイント以下であるか否か、を判別する判別ステップと、上記判別ステップにより上記サービスが提供される時間が上記利用期間内であり、かつ、上記サービスに対する対価が上記利用金額又は上記利用ポイント以下であると判別した際に、上記サービスに対する対価を上記利用金額又は上記利用ポイントで決済する決済ステップとを備えることを特徴とする。
【００２０】
請求項１１記載のサービス提供方法は、サービスを提供する店舗に関する店舗情報、利用期間、及び第１ユーザが予め決済した上記サービスに関するサービス情報が含まれる利用情報を入力する入力ステップと、上記入力ステップにより入力した上記利用情報を第２ユーザに通知する通知ステップと、上記通知ステップにより通知した前記利用情報に基づいて、上記サービスが上記店舗から上記第２ユーザに提供される時間が上記利用期間内であるか否か判別する判別ステップと、上記判別ステップにより上記サービスが提供される時間が上記利用期間内であると判別した際に、上記サービスを上記第２ユーザに提供されたことを上記第１ユーザに通知する確認ステップとを備えることを特徴とする。
【００２１】
請求項１２記載のサービス提供プログラムは、サービスを提供する店舗に関する店舗情報、利用期間、及び第１ユーザが指定した指定金額が含まれる利用情報を入力する入力ステップと、上記入力ステップにより入力した上記利用情報を第２ユーザに通知する通知ステップと、上記通知ステップにより通知した上記利用情報に基づいて、上記サービスが上記店舗から上記第２ユーザに提供される時間が上記利用期間内であるか否か、及び、上記サービスに対する対価が上記指定金額以下であるか否か、を判別する判別ステップと、上記判別ステップにより上記サービスが提供される時間が上記利用期間内であり、かつ、上記サービスに対する対価が上記指定金額以下であると判別した際に、上記サービスに対する対価を上記第１ユーザに決済させる決済ステップとをコンピューターに実行させることを特徴とする。
【００２２】
請求項１３記載のサービス提供プログラムは、サービスを提供する店舗に関する店舗情報、利用期間、及び第１ユーザが指定した指定サービスに関するサービス情報が含まれる利用情報を入力する入力ステップと、上記入力ステップにより入力した上記利用情報を第２ユーザに通知する通知ステップと、上記通知ステップにより通知した前記利用情報に基づいて、上記サービスが上記店舗から上記第２ユーザに提供される時間が上記利用期間内であるか否か、及び、上記サービスが上記指定サービスであるか否か、を判別する判別ステップと、上記判別ステップにより上記サービスが提供される時間が上記利用期間内であり、かつ、上記サービスが上記指定サービスであると判別した際に、上記サービスに対する対価を第１ユーザに決済させる決済ステップとをコンピューターに実行させることを特徴とする。
【００２３】
請求項１４記載のサービス提供プログラムは、サービスを提供する店舗に関する店舗情報、利用期間、並びに第１ユーザが予め決済した利用金額及び上記利用金額に代替させた利用ポイントの何れか一方又は両方が含まれる利用情報を入力する入力ステップと、上記入力ステップにより入力した上記利用情報を第２ユーザに通知する通知ステップと、上記通知ステップにより通知した前記利用情報に基づいて、上記サービスが上記店舗から上記第２ユーザに提供される時間が上記利用期間内であるか否か、及び、上記サービスに対する対価が上記利用金額又は上記利用ポイント以下であるか否か、を判別する判別ステップと、上記判別ステップにより上記サービスが提供される時間が上記利用期間内であり、かつ、上記サービスに対する対価が上記利用金額又は上記利用ポイント以下であると判別した際に、上記サービスに対する対価を上記利用金額又は上記利用ポイントで決済する決済ステップとをコンピューターに実行させることを特徴とする。
【００２４】
請求項１５記載のサービス提供プログラムは、サービスを提供する店舗に関する店舗情報、利用期間、及び第１ユーザが予め決済した上記サービスに関するサービス情報が含まれる利用情報を入力する入力ステップと、上記入力ステップにより入力した上記利用情報を第２ユーザに通知する通知ステップと、上記通知ステップにより通知した前記利用情報に基づいて、上記サービスが上記店舗から上記第２ユーザに提供される時間が上記利用期間内であるか否か判別する判別ステップと、上記判別ステップにより上記サービスが提供される時間が上記利用期間内であると判別した際に、上記サービスを上記第２ユーザに提供されたことを上記第１ユーザに通知する確認ステップとをコンピューターに実行させることを特徴とする。
【発明の効果】
【００２５】
上述した構成からなる本発明によれば、サービスを提供する店舗の負担を増大させることなく、第１ユーザの目的を逸脱することなく第２ユーザにサービスを提供することが可能となり、第１ユーザが第２ユーザを確実に援助することが可能となる。
【図面の簡単な説明】
【００２６】
【図１】本発明を適用したサービス提供システムの構成例を示す図である。
【図２】電子機器のブロック構成を示す図である。
【図３】本発明を適用したサービス提供プログラムの処理動作のフローチャートである。
【図４】本発明を適用したサービス提供プログラムの第１実施形態において、表示部に表示される利用情報の一例である。
【図５】本発明を適用したサービス提供プログラムの判別ステップと決済ステップの一例である。
【図６】本発明を適用したサービス提供プログラムの第２実施形態において、表示部に表示される利用情報の一例である。
【図７】本発明を適用したサービス提供プログラムの第３実施形態において、表示部に表示される利用情報の一例である。
【図８】本発明を適用したサービス提供プログラムの第４実施形態において、表示部に表示される利用情報の一例である。
【発明を実施するための形態】
【００２７】
以下、本発明を適用したサービス提供システムについて、図面を参照しながら詳細に説明をする。
【００２８】
本発明を適用したサービス提供システム１は、例えば図１に示すような構成により具現化される。このサービス提供システム１は、ＰＣ等を始めとしたシステムを利用する電子機器１１と、この電子機器１１に対して公衆通信網１２を介して接続されるサーバ１３とを備えている。
【００２９】
公衆通信網１２は、電子機器１１間、サーバ１３に通信回線を介して接続されるインターネット網等である。ちなみにこの電子機器１１を一定の狭いエリア内で運用する場合には、この公衆通信網１２を、ＬＡＮ（Local Area Network）で構成してもよい。また、この公衆通信網１２につきいわゆる光ファイバ通信網で構成してもよい。また、この公衆通信網１２は、有線通信網に限定されるものではなく、無線通信網で実現するようにしてもよい。
【００３０】
電子機器１１は、例えば、パーソナルコンピュータ（ＰＣ）、携帯電話、スマートフォン、タブレット型端末、ウェアラブル端末等であり、少なくともユーザの操作に基づいて公衆通信網１２を介して通信可能なデバイスである。なお、この電子機器１１は、後述するサービス提供プログラムを公衆通信網１２を介してダウンロードして、インストールする。以下の例では、この電子機器１１につき、スマートフォンを適用する場合を例にとり説明をする。
【００３１】
図２は、電子機器１１の具体的な構成例を示している。この電子機器１１は、ＲＯＭ（Read Only Memory）２２と、データの蓄積や展開等に使用する作業領域としてのＲＡＭ(Random Access Memory)２３と、電子機器１１全体を制御するためのＣＰＵ（Central Processing Unit）２４と、操作ボタンやキーボード等を介して各種制御用の指令を入力するための操作部２５と、各種情報の表示を制御するための出力Ｉ／Ｆ１６と、ハードディスク等に代表され、実行すべき検索を行うためのプログラムを格納するための記憶部２７と、外部から電子機器１１内へデータを入力し、或いは電子機器１１において生成されたデータを外部へ出力するためのデータ入出力部２９が内部バス２１にそれぞれ接続されている。さらに、この内部バス２１には、通信Ｉ／Ｆ２８が接続されている。また、出力Ｉ／Ｆ１６には、実際に情報を表示するモニタとしての表示部２６が接続されている。
【００３２】
ＲＯＭ２２は、電子機器１１全体のハードウェア資源を制御するためのプログラムが格納されている。ＲＡＭ２３は、電子機器１１全体のハードウェア資源を制御するときの各種命令を一時的に記憶する。
【００３３】
ＣＰＵ２４は、内部バス２１を介して制御信号を送信することにより、電子機器１１内に実装された各構成要素を制御するためのいわゆる中央演算ユニットである。また、このＣＰＵ２４は、操作部２５を介したユーザの操作に応じて各種制御用の指令を内部バス２１を介して伝達する。
【００３４】
操作部２５は、マウス、キーボード、タッチパネル等で具体化され、ユーザが注文したいサービスに関する情報が入力される他、サービス提供プログラムを実行するための実行命令がユーザから入力される。この操作部２５は、上記実行命令がユーザにより入力された場合には、これをＣＰＵ２４に通知する。この通知を受けたＣＰＵ２４は、上記プログラムを記憶部２７から読み出して実行する。
【００３５】
出力Ｉ／Ｆ１６は、ＣＰＵ２４による制御に基づいて表示画像を作り出すグラフィックコントローラにより構成されている。この出力Ｉ／Ｆ１６に接続される表示部２６は、例えば、液晶ディスプレイ（ＬＣＤ）等によって実現される。
【００３６】
記憶部２７は、ハードディスクで構成される場合において、ＣＰＵ２４による制御に基づき、各アドレスに対して所定の情報が書き込まれるとともに、必要に応じてこれが読み出される。また、この記憶部２７には、本発明を実行するためのサービス提供プログラムが格納されている。このプログラムはＣＰＵ２４により読み出されて実行されることになる。
【００３７】
通信Ｉ／Ｆ２８は、公衆通信網１２と接続するための回線制御回路や、他の端末装置との間でデータ通信を行うための信号変換回路等が実装されている。通信Ｉ／Ｆ２８は、内部バス２１からの各種命令に変換処理を施してこれを公衆通信網１２側へ送信するとともに、公衆通信網１２からのデータを受信した場合にはこれに所定の変換処理を施して内部バス２１、或いはＣＰＵ２４へ送信する。
【００３８】
データ入出力部２９は、ＵＳＢ（Universal Serial Bus）メモリや、記録媒体との間でデータを入出力するためのインターフェースとして構成されている。データ入出力部２９は、ＱＲコード（登録商標）や数字の羅列によって暗号化されたコード等を読み取り可能に構成してもよい。
【００３９】
音声入力部３１は、ユーザから入力された音声を電子データに変換するためのデバイスである。
【００４０】
サーバ１３には、所定のデータベースが構築されている。このデータベースには、公衆通信網１２を介して送られてきた情報が蓄積される。また、このサーバ１３は、電子機器１１からの要求に基づいて、この蓄積した情報を公衆通信網１２を介して電子機器１１へと送信する。
【００４１】
サーバ１３には、ユーザ情報、店舗情報等が記憶されている。ユーザは、ユーザ情報を電子機器１１に操作部２５を介して手動により入力し、又は音声入力部３１を介して音声により入力し、入力したユーザ情報をサーバ１３に送信し、サーバ１３に予め記憶させる。ユーザ情報には、ユーザの氏名、年齢、性別、職業、住所、電話番号、メールアドレス、生年月日等が含まれている。また、ユーザ情報には、ユーザのクレジットカードに関する情報、ユーザの銀行口座に関する情報、ユーザ本人と認証するための暗証番号や指紋認証といった認証情報等を入力してもよく、クレジットカード、銀行引落、デビットカード、インターネットバンキング、電子マネー、仮想通貨等のサービスを購入するための購入手段に関する情報が含まれる。
【００４２】
ユーザ情報には、サービスと交換できる利用ポイントを蓄積するポイント口座が含まれてもよい。本サービス提供プログラムでは、この利用ポイントを介してサービスの購入を行うこともできる。このポイント口座は、予めクレジットカード等により所定の金額分の利用ポイントを蓄積させておく。
【００４３】
ユーザ情報をサーバ１３に記憶させることで、ユーザには個人を識別するためのユーザＩＤが付与されてもよい。また、ユーザは、ユーザ情報を記憶させることで、家族、友達、同僚、知人等の他のユーザと特定のユーザグループを作成して、メッセージ、写真、動画等を介して他のユーザとコミュニケーションがとることができるＳＮＳ会員として登録されてもよい。ＳＮＳは、例えばＦａｃｅｂｏｏｋ（登録商標）、Ｔｗｉｔｔｅｒ（登録商標）、ＬＩＮＥ（登録商標）等が用いられてもよい。なお、サーバ１３は、システム運営会社によって管理されている。
【００４４】
店員等の店舗関係者は、店舗情報を電子機器１１に操作部２５を介して手動により入力し、又は音声入力部３１を介して音声により入力し、入力した店舗情報をサーバ１３に送信し、サーバ１３に予め記憶させる。店舗情報には、サービスを提供する店舗の名称が含まれている。サービスを提供する店舗は、例えば、居酒屋、レストラン、回転寿司屋、ファーストフード店、喫茶店、ラーメン店、フードコート等の飲食店をはじめとして、文房具店、花屋、おもちゃ屋、煙草屋、衣料品店等のサービスを提供するあらゆる店舗が該当する。また、店舗情報には、店舗の名称のみならず、飲食店、文房具店等の店舗の種別が含まれていてもよい。また、店舗情報には、各々の店舗が提供するサービスと、各々のサービスがリスト化されたサービスリストが含まれていてもよい。店舗が提供するサービスは、例えば、食品、文房具等の有形のサービスだけでなく、庭木の剪定、ペットの世話等の無形のサービスであってもよい。各々のサービスには、サービスに対する対価や後述する利用ポイントが割り当てられている。この他、店舗情報は、店舗の住所、電話番号、緯度経度等の位置情報等が含まれていてもよい。
【００４５】
本発明を適用したサービス提供システム１は、電子機器１１内インストールされたサービス提供プログラムを介して実行される。即ち、ユーザは、電子機器１１を操作し、これにインストールされているサービス提供プログラムを通じ、他のユーザにサービスの提供を行っていくこととなる。サービス提供プログラムを実行する場合、電子機器１１にインストールして使用する場合に限定されるものではなく、サーバ１３に記憶させておき、電子機器１１側から、使用の都度、サーバ１３にアクセスして使用するようにしてもよい。
【００４６】
以下の説明では、サービスを提供するユーザを決済者Ａとし、決済者Ａによりサービスが提供されるユーザを享受者Ｂとし、サービスを提供する店舗を店舗Ｃとして説明する。この決済者Ａ、享受者Ｂ、及び店舗Ｃは、各々のユーザ情報、店舗情報等がサーバ１３に記憶される。決済者Ａ、享受者Ｂ、及び店舗Ｃのそれぞれの電子機器１１には、サービス提供プログラムが実装されている。なお、享受者Ｂについては、ユーザ情報が無くてもよい。
【００４７】
サービス提供プログラムの第１実施形態について説明する。サービス提供プログラムの動作を図３に示す。サービス提供プログラムでは、先ず、利用情報を入力する入力ステップＳ１１を行う。
【００４８】
入力ステップＳ１１では、図４に示すように、決済者Ａが電子機器１１の操作部２５を介して手動により、又は、音声入力部３１を介して音声により、利用情報を入力する。利用情報には、決済者Ａが享受者Ｂに提供したいサービスを提供する店舗に関する店舗情報、利用期間、及び決済者Ａが定めた指定金額が含まれる。
【００４９】
店舗情報を入力する際には、例えば、サーバ１３に予め記憶させておいた店舗情報を、サーバ１３から取得して決済者Ａが入力する。このとき、店舗情報の入力は、サーバ１３から取得した店舗情報を決済者Ａの電子機器１１の表示部２６に表示させ、表示部２６に表示させた複数の店舗情報から、１以上の店舗を選択することで、店舗情報を入力してもよい。店舗情報の入力は、これに限らず、店舗の住所等に基づいて、都道府県市区町村等の所定の範囲内の１以上の店舗を、店舗情報として入力してもよいし、任意の基準点を中心として例えば、半径１ｋｍ以内等の所定の範囲内の１以上の店舗を、店舗情報として入力してもよい。また、店舗情報は、１以上の店舗を入力することに限らず、飲食店、文房具店等の１以上の店舗の種別を、店舗情報として入力してもよい。
【００５０】
利用期間は、決済者Ａが入力する。利用期間を入力する際には、例えば、「３時間」等の時間数、「８日間」等の日数、「１か月間」等の月数、「１年間」等の年数を入力してもよいし、「西暦○○年○日○日以降」、「西暦○○年○日○日まで」等の年月日を入力してもよいし、「○○時○○分まで」等の時刻を入力してもよい。利用期間を決済者Ａが入力しない場合には、例えば、「８日間」「１か月」等の所定の期間が自動的に入力される。自動的に入力される利用期間は、システム側で任意で設定できるものである。
【００５１】
利用期間を入力する際、さらに、利用頻度を入力してもよい。利用頻度は、利用期間内に享受者Ｂがサービスの提供を受けることができる回数である。利用頻度を入力する際には、例えば、１か月間で４回等の所定の利用頻度を設定すればよく、任意の日時、曜日等であってもよい。利用頻度は、ユーザ側及びシステム側で任意で設定できるものである。
【００５２】
指定金額は、決済者Ａが指定する任意の金額であり、例えば、「５千円」等である。利用頻度を入力しなかった場合には、指定金額は、１回あたりの上限額となる。また、利用頻度を入力した場合には、指定金額は、利用期間内における合計の上限額となる。なお、利用頻度を入力した場合には、１回あたりの指定金額を更に入力してもよい。
【００５３】
サービス提供プログラムでは、次に、入力ステップＳ１１により入力した利用情報を享受者Ｂに通知する通知ステップＳ１２を行う。利用情報の通知は、例えば、入力ステップＳ１１で入力した利用情報を、例えばＱＲコード（登録商標）や数字の羅列によって暗号化されたコードにして、電子メール等により享受者Ｂの電子機器１１に通知する。
【００５４】
サービス提供プログラムでは、次に、通知ステップＳ１２により通知した利用情報に基づいて、店舗Ｃから享受者Ｂにサービスが提供される時間が利用期間内であるか否か、及び、サービスに対する対価が指定金額以下であるか否かを判別する判別ステップＳ１３を行う。
【００５５】
このとき、享受者Ｂに提供されるサービスは、通知ステップＳ１２で通知された利用情報における店舗情報に基づいて、店舗Ｃが提供するサービスに関するサービスリストから享受者Ｂがサービスを選択してもよい。享受者Ｂがサービスを選択する際には、当該サービスに対する対価が、決済者Ａの指定した指定金額以下で選択してもよい。
【００５６】
図５に示すように、判別ステップＳ１３では、通知ステップＳ１２で享受者Ｂの電子機器１１に通知された利用情報を、例えばＱＲコード（登録商標）、数字の羅列等によって暗号化されたコードとして、享受者Ｂの電子機器１１の表示部２６に表示させておき、享受者Ｂの電子機器１１の表示部２６に表示させたコード等を店舗Ｃのレジ等に設置又は内蔵された電子機器１１のデータ入出力部２９で読み取らせることで、これらを判別する。
【００５７】
サービス提供プログラムでは、次に、判別ステップＳ１３によりサービスが提供された時間が利用期間内であり、かつ、サービスに対する対価が指定金額以下であると判別した際に、サービスに対する対価を決済者Ａに決済させる決済ステップＳ１４を行う。
【００５８】
決済ステップＳ１４では、判別ステップＳ１３で表示部２６に表示させたコード等を店舗Ｃの電子機器１１のデータ入出力部２９で読み取らせて、サービスが提供される時間が利用期間内であり、かつ、サービスに対する対価が指定金額以下であると判別した際に、サービスに対する対価の全部を決済者Ａに決済させる。決済者Ａが決済する際には、ユーザのクレジットカードに関する情報等が含まれるユーザ情報に基づいて、決済する。決済については、決済者Ａのユーザ情報に基づいて、先ず、システム運営会社に対して決済された後に、即座にシステム運営会社から店舗Ｃに対して決済されることとなる。
【００５９】
なお、享受者Ｂへのサービスの提供は、判別ステップＳ１３において行われてもよいし、決済ステップＳ１４において行われてもよい。
【００６０】
即ち、享受者Ｂへのサービスの提供が判別ステップＳ１３において行われる場合、例えば、享受者Ｂが飲食店等の店舗Ｃにおいて、店舗Ｃが提供する「定食」を提供された後に、享受者Ｂが店舗Ｃのレジ等に行き、享受者Ｂの電子機器１１の表示部２６に暗号化されたコード等を利用情報として表示する。そして、表示した利用情報を店舗Ｃのレジ等に設置等された電子機器１１のデータ入出力部２９で読み取らせて、店舗Ｃから享受者Ｂにサービスが提供される時間が利用期間内であるか否か、及び、サービスに対する対価が指定金額以下であるか否かを判別する。即ち、判別ステップＳ１３を行う。そして、これらを判別した後に、決済ステップＳ１４を行い、サービスに対する対価の全部を決済者Ａに決済させることとなる。
【００６１】
また、享受者Ｂへのサービスの提供が決済ステップＳ１４において行われる場合、例えば、享受者Ｂが文房具店等の店舗Ｃにおいて、店舗Ｃ内に陳列等された「文房具」を享受者Ｂが店舗Ｃのレジまで持っていき、享受者Ｂの電子機器１１の表示部２６に暗号化されたコード等を利用情報として表示する。そして、表示した利用情報を店舗Ｃのレジ等に設置された電子機器１１のデータ入出力部２９で読み取らせて、店舗Ｃから享受者Ｂにサービスが提供される時間が利用期間内であるか否か、及び、サービスに対する対価が指定金額以下であるか否かを判別する。即ち、判別ステップＳ１３を行う。そして、これらを判別した後に、決済ステップＳ１４を行い、サービスに対する対価の全部を決済者Ａに決済させた後に、「文房具」を店舗Ｃから享受者Ｂに提供すればよい。
【００６２】
このように、サービス提供プログラムは、決済ステップＳ１４において、判別ステップＳ１３によりサービスが提供された時間が利用期間内であり、かつ、サービスに対する対価が指定金額以下であると判別した際に、サービスに対する対価の全部を決済者Ａに決済させる。これにより、サービス提供プログラムは、決済者Ａの目的を逸脱することなく享受者Ｂにサービスを提供することが可能となり、決済者Ａがサービスに対する対価の全部を決済することで、決済者Ａが享受者Ｂを確実に援助することが可能となる。また、サービス提供プログラムは、享受者Ｂにサービスが提供されるときにリアルタイムでサービスに対する対価を決済することができるため、決済者Ａの決済が無駄になることがない。
【００６３】
一方で、仮に入力された店舗情報に関する店舗Ｃ以外の店舗において享受者Ｂがサービスの提供を受けようとしたとしても、決済者Ａが享受者Ｂに店舗Ｃのサービスを提供するという目的を逸脱することとなるため、決済者Ａがサービスに対する対価を決済しないこととなる。また、仮に入力された利用期間外において、享受者Ｂがサービスの提供を受けようとしたとしても、決済者Ａが享受者Ｂに所定の利用期間内にサービスを提供するという目的を逸脱することとなるため、決済者Ａがサービスに対する対価を決済しないこととなる。
【００６４】
このように、サービス提供プログラムは、通知ステップＳ１２により通知された利用情報に基づいて、享受者Ｂに提供されるサービスが利用期間内であり、かつ、決済者Ａが指定した指定金額以下であると判別した際に、サービスに対する対価の決済が行われるため、決済者Ａの目的を逸脱することなく享受者Ｂにサービスを提供することが可能となり、決済者Ａが享受者Ｂを確実に援助することが可能となる。即ち、サービス提供プログラムは、例えば、親元から離れて生活する享受者Ｂである学生に決済者Ａである親が「定食」等のサービスを提供する際に、金銭を直接学生に渡すことがないため、親の目的を逸脱することなく学生に「定食」等のサービスを提供することが可能となり、親が学生を確実に援助することが可能となる。また、サービス提供プログラムは、例えば、児童施設等の享受者Ｂに寄付者である決済者Ａが「文房具」等のサービスを提供する際に、金銭を直接児童施設に寄付しないため、寄付者の目的を逸脱することなく児童施設に「文房具」等のサービスを提供することが可能となり、寄付者が児童施設を確実に援助することが可能となる。
【００６５】
サービス提供プログラムは、店舗Ｃに利用情報を通知させることなく、享受者Ｂに通知された利用情報に基づいて、享受者Ｂにサービスを提供するものとなるため、享受者Ｂにサービスを提供するために店舗の店員等が享受者Ｂを探す必要が無い。このため、サービス提供プログラムは、サービスを提供する店舗Ｃの負担を増大させることなく、決済者Ａが享受者Ｂに確実にサービスを提供することが可能となる。
【００６６】
サービス提供プログラムは、入力ステップＳ１１で決済者Ａが指定した指定金額を入力した場合、通知ステップＳ１２で通知された利用情報における店舗情報に基づいて、店舗Ｃが提供するサービスに関するサービスリストから享受者Ｂがサービスを選択することができる。即ち、サービス提供プログラムは、決済者Ａがサービス自体を指定するのではなく、享受者Ｂの好み等に応じて享受者Ｂに提供されるサービスを享受者Ｂ自身が選択することが可能となる。
【００６７】
また、判別ステップＳ１３において、利用情報に基づいて享受者Ｂが選択したサービスが店舗Ｃから享受者Ｂに提供される時間が利用期間内であるが、サービスに対する対価が指定金額以上であると判別した場合には、更に店舗Ｃから享受者Ｂに提供されるサービスが店舗Ｃのサービスリストに含まれるものであるか否かを、判別させてもよい。判別ステップＳ１３において、店舗Ｃから享受者Ｂに提供されるサービスが、店舗Ｃのサービスリストに含まれるものであると判別した際に、決済ステップＳ１４を行う。そして、この決済ステップＳ１４では、サービスに対する対価が指定金額以上であるため、店舗Ｃから提供されるサービスの対価のうち指定金額までを決済者Ａに決済させるとともに、店舗Ｃから提供されるサービスの対価のうち指定金額を超えた分については、享受者Ｂに決済させることとなる。つまり、サービスに対する対価の一部を決済者Ａに決済させる。また、享受者Ｂの決済は、現金等で行われてもよいし、クレジットカード等のユーザ情報に基づいて行われてもよい。
【００６８】
即ち、決済者Ａが享受者Ｂにサービス「書籍」を提供したい場合、決済者Ａが利用期間「１か月」、指定金額「１０００円」を含む利用情報を入力したとする。このとき、判別ステップＳ１３において、享受者Ｂがサービス「小説」を選択し、選択したサービス「小説」の対価が「１１００円」であった場合、店舗Ｃから享受者Ｂにサービス「書籍」が提供される時間が利用期間内「１か月」であるが、サービス「小説」に対する対価が「１１００円」であり、指定金額「１０００円」以上であると判別されることとなる。かかる場合には、判別ステップＳ１３では、更に店舗Ｃから享受者Ｂに提供されるサービス「小説」が店舗Ｃのサービスリストに含まれるものであるか否かを、判別させてもよい。判別ステップＳ１３において、店舗Ｃから享受者Ｂに提供されるサービス「小説」が、店舗Ｃのサービスリストに含まれるものであると判別した場合には、決済ステップＳ１４を行う。そして、この決済ステップＳ１４では、サービス「小説」に対する対価「１１００円」が指定金額「１０００円」以上であるため、店舗Ｃから提供されるサービスの対価「１１００円」のうち指定金額「１０００円」までを決済者Ａに決済させるとともに、店舗Ｃから提供されるサービスの対価「１１００円」のうち指定金額「１０００円」を超えた「１００円」分については、享受者Ｂに決済させることとなる。このように、仮に指定金額を超えたとしても、店舗Ｃから享受者Ｂに提供されるサービスが店舗Ｃのサービスリストに含まれるものであると判別した場合には、決済者Ａがサービスに対する対価の一部を決済することとなる。このため、決済者Ａの目的を逸脱することなく享受者Ｂにサービスを提供することが可能となり、決済者Ａがサービスに対する対価の一部を決済することで、享受者Ｂを確実に援助することが可能となる。
【００６９】
勿論、判別ステップＳ１３において、サービスに対する対価が指定金額以上であると判別した場合には、決済者Ａがサービスに対する対価を決済しないものとしてもよい。
【００７０】
サービス提供プログラムは、入力ステップＳ１１で利用頻度が含まれる利用情報を入力した場合には、享受者Ｂの目的外利用を強固に防止することが可能となる。
【００７１】
さらに、サービス提供プログラムは、指定金額からサービスに対する対価を減算した指定金額残高がある場合には、指定金額残高をサーバ１３に記憶させる。そして、サービス提供プログラムは、指定金額残高がある場合には、新たなサービスを享受者Ｂに提供することができる。新たなサービスは、入力ステップＳ１１で入力した店舗情報に基づいて、例えば、店舗Ｃが提供するサービスから選択等することとなる。
【００７２】
サービス提供プログラムは、指定金額残高がある場合には、決済ステップＳ１４の後に、再度判別ステップＳ１３を行ってもよい。この判別ステップＳ１３では、店舗Ｃから享受者Ｂに提供される新たなサービスが提供される時間が利用期間内であるか否か、及び、新たなサービスに対する対価が指定金額残高以下であるか否か、を判別する。
【００７３】
そして、サービス提供プログラムは、判別ステップＳ１３によりサービスが提供される時間が利用期間内であり、かつ、新たなサービスに対する対価が指定金額残高以下であると判別した際に、サービスに対する対価を第１ユーザに決済させる決済ステップＳ１４を行う。
【００７４】
このように、サービス提供プログラムは、指定金額残高がある場合には、再度入力ステップＳ１１、通知ステップＳ１２を行うことなく、再度判別ステップＳ１３及び決済ステップＳ１４を行うことが可能となる。このため、サービス提供プログラムは、指定金額残高がある場合には、決済者Ａが利用情報を入力する手間を省略することが可能となり、利用期間内において、決済者Ａが指定した指定金額又は指定金額残高以下のサービスを、繰り返し享受者Ｂに提供することが可能となる。
【００７５】
なお、判別ステップＳ１３では、利用情報に基づいて享受者Ｂが選択した新たなサービスが店舗Ｃから享受者Ｂに提供される時間が利用期間内であるが、サービスに対する対価が指定金額残高以上であると判別した場合には、更に店舗Ｃから享受者Ｂに提供される新たなサービスが店舗Ｃのサービスリストに含まれるものであるか否かを、判別させてもよい。判別ステップＳ１３において、店舗Ｃから享受者Ｂに提供される新たなサービスが、店舗Ｃのサービスリストに含まれるものであると判別した際に、決済ステップＳ１４を行ってもよい。
【００７６】
サービス提供プログラムは、第１実施形態において、決済ステップＳ１４の後に、サービスを享受者Ｂに提供されたことを決済者Ａに通知する確認ステップＳ１５を行ってもよい。確認ステップＳ１５により、サービスが享受者Ｂに提供されたことを決済者Ａが確認することが可能となる。なお、確認ステップＳ１５の後に、再度判別ステップＳ１３を行ってもよい。
【００７７】
サービス提供プログラムは、例えば、享受者Ｂである独り身の高齢者等に決済者Ａであるその子供等がサービスを提供する際に、確認ステップＳ１５によりサービスが提供されたことを決済者Ａに通知することができる。即ち、サービス提供プログラムは、サービスが提供されたことを子供に通知させることで、独り身の高齢者が生活していることを確認し、逆にサービスが提供されたことの通知が無い場合には独り身の高齢者の孤独死等の異常を早期に発見することも可能となる。
【００７８】
次に、サービス提供プログラムの第２実施形態について説明する。サービス提供プログラムは、図６に示すように、第２実施形態において、入力ステップＳ１１では店舗情報、利用期間、及びサービス情報が含まれる利用情報を入力する。
【００７９】
サービス情報は、決済者Ａが指定した指定サービスに関する情報である。サービス情報を入力する際には、例えば、サーバ１３に予め記憶させておいた店舗情報を、サーバ１３から取得して入力する。このとき、サービス情報の入力は、サーバ１３から取得した店舗情報を決済者Ａの電子機器１１の表示部２６に表示させ、表示部２６に表示させた店舗情報に含まれる複数のサービスのうち１以上のサービスを指定することで、サービス情報として入力してもよい。また、サービス情報の入力は、１以上のサービスを入力することに限らず、飲食物、文房具等の１以上のサービスの種別を指定することで、サービス情報として入力してもよい。
【００８０】
サービス提供プログラムでは、次に、入力ステップＳ１１により入力した利用情報を享受者Ｂに通知する通知ステップＳ１２を行う。
【００８１】
サービス提供プログラムでは、次に、通知ステップＳ１２により通知した利用情報に基づいて、店舗Ｃから享受者Ｂにサービスが提供される時間が利用期間内であるか否か、及び、店舗Ｃから享受者Ｂに提供されるサービスが指定サービスであるか否か、を判別する。
【００８２】
サービス提供プログラムでは、次に、判別ステップＳ１３によりサービスが提供された時間が利用期間内であり、かつ、店舗Ｃから享受者Ｂに提供されるサービスが指定サービスであると判別した際に、サービスに対する対価を決済者Ａに決済させる決済ステップＳ１４を行う。これにより、サービス提供プログラムは、享受者Ｂがサービスに対する対価を決済することなく、サービスを享受者Ｂに提供することが可能となる。決済については、決済者Ａのユーザ情報に基づいて、先ず、システム運営会社に対して決済された後に、即座にシステム運営会社から店舗Ｃに対して決済されることとなる。
【００８３】
また、サービス提供プログラムは、通知ステップＳ１２により通知された利用情報に基づいて、享受者Ｂに提供されるサービスが利用期間及び決済者Ａが指定した指定サービスであると判別した際にサービスに対する対価の決済が行われるため、決済者Ａの目的を逸脱することなく享受者Ｂにサービスを提供することが可能となり、享受者Ｂを確実に援助することが可能となる。
【００８４】
サービス提供プログラムは、第２実施形態において、入力ステップＳ１１でサービス情報として決済者Ａが指定した指定サービスを入力するため、享受者Ｂが店舗Ｃが提供されるサービスを選択できないものの、享受者Ｂに提供するサービスを決済者Ａが指定することとなるため、決済者Ａの目的を逸脱することなく享受者Ｂにサービスを提供することが可能となり、享受者Ｂを確実に援助することが可能となる。
【００８５】
なお、サービス提供プログラムは、第２実施形態においても、確認ステップＳ１５を行ってもよい。
【００８６】
次に、サービス提供プログラムの第３実施形態について説明する。サービス提供プログラムは、図７に示すように、第３実施形態において、入力ステップＳ１１では店舗情報、利用期間、並びに利用金額及び利用ポイントの何れか一方又は両方が含まれる利用情報を入力する。
【００８７】
利用金額は、決済者Ａがユーザ情報に含まれるクレジットカード等により、予め決済した所定の金額である。利用金額は、ユーザ情報としてサーバ１３に記憶される。この決済は、決済者Ａからシステム運営会社に対して決済されることとなる。
【００８８】
利用ポイントは、利用金額に代替させたポイントであり、ユーザ情報としてサーバ１３に記憶される。本サービス提供プログラムは、第３実施形態において、利用ポイントを介してサービスの決済を行うこともできる。この決済は、決済者Ａからシステム運営会社に対して決済されることとなる。
【００８９】
サービス提供プログラムでは、次に、入力ステップＳ１１により入力した利用情報を享受者Ｂに通知する通知ステップＳ１２を行う。
【００９０】
サービス提供プログラムでは、次に、通知ステップＳ１２により通知した利用情報に基づいて、店舗Ｃから享受者Ｂにサービスが提供される時間が利用期間内であるか否か、及び、サービスに対する対価が利用金額又は利用ポイント以下であるか否か、を判別する。
【００９１】
サービス提供プログラムでは、次に、判別ステップＳ１３によりサービスが提供された時間が利用期間内であり、かつ、サービスに対する対価が利用金額又は利用ポイント以下であると判別した際に、サービスに対する対価を利用金額又は上記利用ポイントで決済する決済ステップＳ１４を行う。これにより、サービス提供プログラムは、決済者Ａの目的を逸脱することなく享受者Ｂにサービスを提供することが可能となり、享受者Ｂを確実に援助することが可能となる。この決済ステップＳ１４における決済は、システム運営会社から店舗Ｃに対して決済されることとなる。
【００９２】
また、サービス提供プログラムは、通知ステップＳ１２により通知された利用情報に基づいて、享受者Ｂに提供されるサービスが利用期間内であり、かつ、サービスに対する対価が利用金額又は利用ポイント以下であると判別した際に、サービスに対する対価の決済が行われるため、決済者Ａの目的を逸脱することなく享受者Ｂにサービスを提供することが可能となり、享受者Ｂを確実に援助することが可能となる。
【００９３】
さらに、サービス提供プログラムは、利用金額又は利用ポイントからサービスに対する対価を減算した利用金額残高又は利用ポイント残高がある場合には、利用金額残高又は利用ポイント残高をサーバ１３に記憶させる。サービス提供プログラムは、利用金額残高又は利用ポイント残高がある場合には、決済ステップＳ１４の後に、再度判別ステップＳ１３を行ってもよい。この判別ステップＳ１３では、店舗Ｃから享受者Ｂに提供される新たなサービスが提供される時間が利用期間内であるか否か、及び、新たなサービスに対する対価が利用金額残高又は利用ポイント残高以下であるか否か、を判別する。
【００９４】
そして、サービス提供プログラムは、判別ステップＳ１３によりサービスが提供される時間が利用期間内であり、かつ、新たなサービスに対する対価が利用金額残高又は利用ポイント残高以下であると判別した際に、サービスに対する対価を利用金額残高又は利用ポイント残高で決済する決済ステップＳ１４を行う。
【００９５】
このように、サービス提供プログラムは、利用金額残高又は利用ポイント残高がある場合には、再度入力ステップＳ１１、通知ステップＳ１２を行うことなく、再度判別ステップＳ１３及び決済ステップＳ１４を行うことが可能となる。このため、サービス提供プログラムは、利用金額残高又は利用ポイント残高がある場合には、決済者Ａが利用情報を入力する手間を省略することが可能となり、利用期間内において、利用金額若しくは利用ポイント又は利用金額残高若しくは利用ポイント残高以下のサービスを、繰り返し享受者Ｂに提供することが可能となる。なお、利用期間を経過した場合には、利用金額、利用ポイント、利用金額残高及び利用ポイント残高は、システム運営会社から決済者Ａに対して返金されてもよいし、サーバ１３に記憶させておき決済者Ａが改めて享受者Ｂにサービスを提供する際に利用されてもよいし、享受者Ｂにそのまま提供されてもよい。
【００９６】
なお、サービス提供プログラムは、第３実施形態においても、確認ステップＳ１５を行ってもよい。
【００９７】
次に、サービス提供プログラムの第４実施形態について説明する。サービス提供プログラムは、図８に示すように、第４実施形態において、入力ステップＳ１１では店舗情報、利用期間、及びサービス情報が含まれる利用情報を入力する。第４実施形態に係るサービス提供プログラムは、入力ステップＳ１１において、サービス情報として決済者Ａが予め決済したサービスに関する情報を入力する。入力ステップＳ１１における決済は、決済者Ａからシステム運営会社に対して決済されることとなる。
【００９８】
サービス提供プログラムでは、次に、入力ステップＳ１１により入力した利用情報を享受者Ｂに通知する通知ステップＳ１２を行う。
【００９９】
サービス提供プログラムでは、次に、通知ステップＳ１２により通知した利用情報に基づいて、店舗Ｃから享受者Ｂにサービスが提供される時間が利用期間内であるか否か、を判別する。
【０１００】
サービス提供プログラムでは、次に、判別ステップＳ１３によりサービスが提供された時間が利用期間内であると判別した際に、サービスが享受者Ｂに提供されたことを決済者Ａに通知する確認ステップＳ１５を行う。確認ステップＳ１５では、システム運営会社から店舗Ｃに対して決済されることとなる。
【０１０１】
第４実施形態に係るサービス提供プログラムは、入力ステップＳ１１において、決済者Ａが決済したサービスに関する情報をサービス情報として入力するため、享受者Ｂにサービスが提供されるとき、サービスに対する対価を既に決済者Ａが決済している。また、サービス提供プログラムは、決済者Ａの目的を逸脱することなく享受者Ｂにサービスを提供することが可能となり、享受者Ｂを確実に援助することが可能となる。
【０１０２】
なお、電子機器１１における何れか１以上の構成要素、或いはサーバ１３は、人工知能により制御されるものであってもよい。本発明への人工知能の具体的な応用方法は、従来における全ての公知の人工知能に関する情報の何れか１以上に基づくものであってもよい。
【０１０３】
以上、本発明に係るサービス提供プログラムを、図示の実施形態に基づいて説明したが、本発明はこれに限定されるものではなく、各部の構成は、同様の機能を有する任意の構成のものに置換することができる。また、本発明に、他の任意の構成や工程が付加されていてもよい。
【符号の説明】
【０１０４】
１      ：サービス提供システム
１０    ：電子機器
１１    ：電子機器
１２    ：公衆通信網
１３    ：サーバ
１６    ：出力Ｉ／Ｆ
２１    ：内部バス
２２    ：ＲＯＭ
２３    ：ＲＡＭ
２４    ：ＣＰＵ
２５    ：操作部
２６    ：表示部
２７    ：記憶部
２８    ：通信Ｉ／Ｆ
２９    ：データ入出力部
３１    ：音声入力部
【図１】
2019079329.tif 000003
【図２】
2019079329.tif 000004
【図３】
2019079329.tif 000005
【図４】
2019079329.tif 000006
【図５】
2019079329.tif 000007
【図６】
2019079329.tif 000008
【図７】
2019079329.tif 000009
【図８】
2019079329.tif 000010